(57)【特許請求の範囲】
【請求項１】
二つ一組で使用する雄スナップ及び雌スナップ兼用の樹脂製のスナップボタン（１）であって、
板状のボタン本体（１０）を備え、
ボタン本体（１０）は、その中心に対する周方向に交互に配列される、ボタン本体（１０）の表面（１１）から突出する複数の係合凸部（２０）と、ボタン本体（１０）の表面（１１）から窪む複数の係合凹部（３０）にして、別個の当該スナップボタン（１）における前記係合凸部（２０）を係合及び脱係合可能に受け入れさせる係合凹部（３０）とを含み、
前記係合凹部（３０）は係合凸部（２０）よりも周方向範囲が大きく、別個の当該スナップボタン（１）との係合状態において係合凸部（２０）は係合凹部（３０）内で周方向に移動可能であり、
前記係合凸部（２０）は、その突出端部に半径方向内側に突出する突起（２６、２６’）を有し、
前記係合凹部（３０）は、該係合凹部（３０）のボタン本体（１０）の表面（１１）に開口する凹部開口（３１）の半径方向内側部分に、別個の当該スナップボタン（１）における前記係合凸部（２０）との係合時に該係合凸部（２０）の前記突起（２６、２６’）を係止させる、半径方向外側に突出する突起係止部（３６、３６’）を有し、
前記係合凸部（２０）はボタン本体（１０）の表面（１１）から水平断面が次第に縮小するように突出し、
前記係合凸部（２０）は、半径方向内側を向く内向面（２２）と、半径方向外側を向く外向面（２３）と、内向面（２２）と外向面（２３）との間の左右の側面（２４）とを有し、左右の側面（２４）は、基端から突出端へと互いに近付くように傾斜する傾斜面であるスナップボタン。
【請求項２】
前記係合凸部（２０）の外向面（２３）は、基端から突出端へと内向面（２２）に近付くように傾斜する傾斜面である請求項１に記載のスナップボタン。
【請求項３】
前記凹部開口（３１）の半径方向内側部分に面取り部（３６ａ）を設けた請求項１又は２に記載のスナップボタン。
【請求項４】
前記係合凹部（３０）の外周面（３３）は、ボタン本体（１０）の表面（１１）に向かって半径方向外側へと傾斜する傾斜面である請求項１〜３のいずれか一つに記載のスナップボタン。
【請求項５】
前記突起係止部（３６’）に一つ又は複数の切欠き（３７）を設けた請求項１〜４のいずれか一つに記載のスナップボタン。
【請求項６】
前記突起（２６’）が半球形状である請求項１〜５のいずれか一つに記載のスナップボタン。
【発明の詳細な説明】
【技術分野】
【０００１】
本発明は、衣類、鞄類等の合わせ目等に使用するスナップボタン、特に雄スナップ及び雌スナップ兼用のスナップボタンに関する。
【背景技術】
【０００２】
スナップボタンは、一般に、凸部を有する雄スナップと、雄スナップの凸部を着脱させる凹部を有する雄スナップの２種類のスナップを一組として使用されるが、この場合、生産、管理、生地への取り付け等の工程が雄スナップと雌スナップで別となる。この点を改善するものとして、実公平６−３１９２９号公報には、１種類のスナップボタンを雄スナップとしても雌スナップとしても使用できるようにした技術が開示されている。同公報記載のスナップボタンは、円板状のボタン本体から突出する一対の雄スナップ片及び一対の雌スナップ片を具備し、二つの同じスナップボタンの一方の雄スナップ片組を他方の雌スナップ片組間に係合させるようにしている。【０００３】
【特許文献１】実公平６−３１９２９号公報
【発明の開示】
【発明が解決しようとする課題】
【０００４】
しかしながら、上記公報に開示される技術では、雄用スナップと雌用スナップを係合させる際、両者の中心軸線を正確に合わせる必要があるのみならず、両者の周方向位置を、雄用スナップの雄スナップ片組と雌用スナップの雌スナップ片組とが相互に係合可能となる位置に整列させる必要があるため、雄用スナップと雌用スナップの係合動作に過度な慎重さを要した。また、スナップボタンの生地への取り付け時においても雄用スナップ及び雌用スナップ共に適切な周方向位置に正確に固定する必要があり、ボタンの取り付け作業が非常に面倒であった。【０００５】
本発明は、上記従来技術の問題点に鑑みてなされたもので、その目的は、雄スナップと雌スナップの係合時に厳格な位置合わせが不要な、雄スナップ及び雌スナップ兼用のスナップボタンを提供することにある。
【課題を解決するための手段】
【０００６】
本発明によれば、二つ一組で使用する雄スナップ及び雌スナップ兼用の樹脂製のスナップボタンであって、板状のボタン本体を備え、ボタン本体は、その中心に対する周方向に交互に配列される、ボタン本体の表面から突出する複数の係合凸部と、ボタン本体の表面から窪む複数の係合凹部にして、別個の当該スナップボタンにおける前記係合凸部を係合及び脱係合可能に受け入れさせる係合凹部とを含み、前記係合凹部は係合凸部よりも周方向範囲が大きく、前記係合凸部は、その突出端部に半径方向内側に突出する突起を有し、前記係合凹部は、該係合凹部のボタン本体の表面に開口する凹部開口の半径方向内側部分に、別個の当該スナップボタンにおける前記係合凸部との係合時に該係合凸部の前記突起を係止させる、半径方向外側に突出する突起係止部を有するスナップボタンが提供される。【０００７】
本発明に係るスナップボタンは、当該スナップボタンを二つ一組として衣類の合わせ目等に別個の取付部材を用いて取り付けられ、一方のスナップボタンの係合凸部及び係合凹部に対し、他方のスナップボタンの係合凹部及び係合凸部をそれぞれ着脱させるものである。本発明では、係合凹部の周方向範囲が係合凸部において最も周方向範囲が大きくなる基端部のそれよりも大きいため、一のスナップボタンの係合凸部を別の同じスナップボタンの係合凹部に係合させる際、係合凸部の先端部を、係合凹部の凹部開口の範囲内に容易に位置付けることができ、両スナップボタンの係合時における周方向の位置合わせを厳格に行う必要はない。なお、係合凸部及び係合凹部の設置数としては、それぞれ二つずつが好ましいが、三つ以上であってもよい。また、係合凹部は、ボタン本体の表面から窪むが、この窪みはボタン本体を貫通して底が無い貫通穴であってもよい。更に、ボタン本体は一般に円形もしくは円形に近い多角形であるが、これに限らず、矩形等であってもよい。矩形等の場合、中心は中央の点を意味する。係合凸部は、後述するように、ボタン本体の表面（基端）から水平断面が次第に縮小するように突出することが好ましいが、これに限らず、基端から先端へとほぼ一定の水平断面にて突出していてもよい。【０００８】
本発明の一実施形態では、前記係合凸部はボタン本体の表面から水平断面が次第に縮小するように突出する。これにより、係合凸部は基端から先端へと先細り形状となり、係合凸部の係合凹部に対する位置合わせが一層容易なものとなり、また、係合凸部の基端の水平断面を大きく確保して該基端の強度を保つことができる。このような係合凸部の具体的な形状の例としては、前記係合凸部は、半径方向内側を向く内向面と、半径方向外側を向く外向面と、内向面と外側面との間の左右の側面とを有する凸部本体を備え、前記突起は凸部本体の内向面の上端部から突出し、外向面は、基端から突出端へと内向面に近付くように傾斜する傾斜面であり、左右の側面は、基端から突出端へと互いに近付くように傾斜する傾斜面であるが、これに限定されるものではない。このように係合凸部の外向面及び左右の側面を傾斜面とすることにより、係合凸部を係合凹部に係合させる際、これらの傾斜面が係合凹部の縁等に突き当たっても係合動作が妨げられることなく円滑に行われる。【０００９】
本発明において、前記凹部開口の半径方向内側部分に面取り部を設けることができる。このような面取り部の傾斜は、係合動作時に係合凹部へ向かう相手側の係合凸部が面取り部に突き当たった際に係合凸部を係合凹部内へと案内するガイドとして機能する。【００１０】
本発明においてはまた、前記係合凹部を規定する半径方向外側の面は、ボタン本体の表面に向かって半径方向外側へと傾斜する傾斜面であり得る。この係合凹部の半径方向外側の傾斜面は、係合動作時に係合凹部の該傾斜面に突き当たった相手側の係合凸部を係合凹部の内部へと案内しながら両スナップボタンを同心位置に調整するガイドとして機能する。【００１１】
本発明では、前記突起係止部に一つ又は複数の切欠きを設けることができる。一方のスナップボタンの係合凸部の突起と、他方のスナップボタンの係合凹部の突起係止部は、両者の係合凸部と係合凹部の係合及び脱係合時に互いに関わり合い、突起及び／又は突起係止部が撓みつつ互いを乗り越えて係止及び係止解除するが、上記切欠きの設置により、突起係止部が撓み易くなり、係合及び脱係合動作に要する力が低減する。なお、切欠きはスリット等を含む。【００１２】
本発明では、前記突起が半球形状であってもよい。このように突起を半球状に形成することにより、上述した突起係止部に対する乗り越え動作が容易になり、これによっても係合及び脱係合に要する力が低減する。
【発明の効果】
【００１３】
本発明では、係合凹部の周方向範囲が係合凸部のそれよりも大きいため、二つのスナップボタンを係合する際の周方向の位置合わせを厳格に行わなくても、係合凸部を係合凹部に簡単に突き合わせることができる。また、係合凸部をその基端から先端へと先細りする形状とすることにより、係合凸部と係合凹部の位置合わせを一層容易なものとすることができる。更に、凹部開口の半径方向内側部分に面取り部を設けたり、係合凹部の半径方向外側の面をボタン本体の表面に向かって半径方向外側へと傾斜させることにより、二つのスナップボタンの係合時に両者の軸線が多少ずれていても、面取り部の傾斜と係合凹部の半径方向外側の面の傾斜により、このずれを吸収して係合凸部を係合凹部内へと案内することができる。
【図面の簡単な説明】
【００１４】
【図１】図１は、本発明の一実施形態に係るスナップボタンの斜視図である。
【図２】図２は、図１のスナップボタンの平面図である。
【図３】図３は、図２のＡ−Ａ線断面図である。
【図４】図４は、図２のＢ−Ｂ線断面図である。
【図５】図５は、スナップボタンを生地に取り付けるための取付部材の斜視図である。
【図６】図６は、二つのスナップボタンを係合させる直前の状態を示す断面図である。
【図７】図７は、二つのナップボタン同士を係合させた状態を示す断面図である。
【図８】図８は、図７のＣ−Ｃ線断面図である。
【図９】図９は、突起係止部の変形例を示す破断斜視図である。
【図１０】図１０は、突起の変形例を示す破断斜視図である。
【発明を実施するための最良の形態】
【００１５】
以下、本発明の好適な実施形態を図面に基づいて説明する。図１及び２は、本発明の一実施形態に係る、雄スナップ及び雌スナップ兼用のスナップボタン１の斜視図及び平面図であり、図３及び４はそれぞれ、図２のＡ−Ａ線及びＢ−Ｂ線に沿う断面図である。スナップボタン１は、樹脂成形品であり、一例として八角形に近い円板状のボタン本体１０を備え、ボタン本体１０の上面（表面）１１（上下は図４に基づく）に対し、後述する係合凸部２０及び係合凹部３０等の凹凸が形成される。ボタン本体１０は、生地への取り付け時に後述する取付部材４０（図５等参照）の取付柱４２を受け入れるための、軸方向に貫通する取付穴１２を中心部に有し、取付穴１２の上方には、取付穴１２を通過した後、仮締められた取付部材４０の取付柱４２の先端部４３’（図６等参照）を係止するための、表面１１から円形凹状に窪む取付柱係止部１３が設けられる。ボタン本体１０には更に、取付柱係止部１３の半径方向外側に、表面１１から上方に突出する二つの係合凸部２０が一直径方向（以下「凸部間直径」という。）に取付穴１２を挟んで互いに向かい合うように配置され、また、表面１１から下方に窪む二つの係合凹部３０が係合凸部２０と周方向に交互に密に並ぶように形成される。なお、一つの係合凸部２０と一つの係合凹部３０が周方向の１８０度を占め、詳細は後述するが、一つの係合凸部２０よりも一つの係合凹部３０の方が周方向占有範囲が大きい。【００１６】
係合凸部２０は、ほぼ扇形状の水平断面がボタン本体１０の表面１１と接する基端から上方の突出端へと次第に小さくなる形状の凸部本体２１と、凸部本体２１の後述する内向面２２の上部において半径方向内側へと突出する突起２６とからなる。凸部本体２１は、半径方向内側を向くほぼ台形状の円弧凹曲面である内向面２２と、半径方向外側を向くほぼ台形状の円弧凸曲面である外向面２３と、内向面２２と外向面２３の輪郭間を連結するほぼ台形状の左右（周方向における反時計回りの向き及び時計周りの向き）の側面２４及びほぼ矩形の上面２５とを有する。内向面２２は、図４等から分かるように、水平に対し垂直であり、外向面２３は基端から突出端へと内向面２２に次第に近付くように傾斜する。左右の側面２４は、その基端辺２４’が凸部間直径と平行であり、この凸部間直径に対する平行を保ったまま基端から突出端へと互いに近付くように傾斜する。突起２６は、角に丸みが付けられた左右に長い直方体形状であり、突起２６の上面２７は凸部本体２１の上面２５と面一となっている。なお、凸部本体２１の上面２５と突起２６の上面２７が係合凸部２０の先端面２５’を形成する。【００１７】
係合凹部３０は、ボタン本体１０の表面１１に扇形状の凹部開口３１として開口する扇形状の水平断面を有する窪みであって、周方向に沿って延びる半径方向内側の内周部３２と、半径方向外側の外周面３３と、内周部３２と外周面３３の左右端同士を連結する左右の側面３４と、水平な底面３５とから規定される。外周面３３は底面３５から凹部開口３１へと半径方向外側に傾斜し、左右の側面３４は、水平に対し垂直でかつ直径方向に沿う。内周部３２は、底面３５から垂直に立ち上がる内周面３２’と、内周部３２の上部において内周面３２’から半径方向外側に突出する突起係止部３６とを含む。突起係止部３６は、内周部３２の周方向全域にわたって設けられ、内周面３２’に対し垂直な下面３６ｃと、下面３６ｃに対し垂直な突頂面３６ｂと、突頂面３６ｂとボタン本体１０の表面１１とが成す角を斜めに面取りした面取り部３６ａとを有する。面取り部３６ａは凹部開口３１の半径方向内側の円弧部分に生じる。なお、表面１１と面取り部３６ａの境界は、内周面３２’よりも半径方向外側にある。【００１８】
図２を参照して、各係合凹部３０の周方向範囲は、各係合凸部２０の周方向範囲よりも大きく設定される。更に詳しくは、各係合凹部３０の左右の側面３４間の角度間隔が約１００度に設定されるのに対し、各係合凸部２０の周方向に最大となる内向面２２の基端辺２２’（基端辺２２’は係合凹部３０の側面３４に隙間無く隣接する）は約８０度とされる。また、各係合凸部２０の内向面２２と、各係合凹部３０の突起係止部３６の突頂面３６ｂとはほぼ同じ半径方向位置にある。更に、各係合凸部２０の外向面２３の基端辺２３’は、各係合凹部３０の凹部開口３１の半径方向外側の円弧（外周面３３の上端辺）３１’よりも半径方向内側にある。更にまた、係合凸部２０の突起２６の内向面２２から半径方向内側への突出高さは、係合凹部３０の突起係止部３６の内周面３２’から半径方向外側への突出高さよりもわずかに低い。【００１９】
図５は、上述したスナップボタン１を生地に取り付けるための樹脂製の取付部材４０を示す斜視図である。取付部材４０は、周知のもので、円板状の基部４１と、基部４１からその軸線に沿って突出し、先端部４３が鋭利に先細りする取付柱４２とを有する。図６を参照して、取付部材４０によってスナップボタン１を生地ｆへ取り付けるには、生地ｆを挟んでスナップボタン１とは反対側から取付部材４０の取付柱４２を生地ｆに貫通させ、更にこれをスナップボタン１の取付穴１２に通した後、取付柱４２の先端部４３を加締め、軸方向に潰しかつ半径方向に拡張させることにより、変形後の先端部４３’がボタン本体１０の取付柱係止部１３内に収まり、取付穴１２から抜けないようにする。【００２０】
図６及び７は、それぞれ生地ｆに取り付けられた二つのスナップボタン１の一方を他方に係合させる直前の状態及び係合状態を示す断面図である。上方のスナップボタン１と下方のスナップボタン１は、係合時に前者の係合凸部２０が後者の係合凹部３０にかつ前者の係合凹部３０が後者の係合凸部２０にそれぞれ対応するように周方向位置が互いに約９０度ずれるように生地ｆに対して固定される。しかし、この周方向配置は、係合凸部２０の先端面２５’に比べ係合凹部３０の凹部開口３１が周方向範囲が格段に大きいため、厳格な精度は要求されない。同様に、図６の状態から上下のスナップボタン１を互いに近付けて係合させる際の両スナップボタン１の周方向の位置合わせもおおよそなものでよい。また、凹部開口３１の半径方向長さが係合凸部２０の先端面２５’のそれよりも長く、更に、凹部開口３１の半径方向内側の面取り部３６ａの傾斜と係合凹部２０の外周面３３の傾斜とが係合凸部２０を係合凹部３０内へと案内するガイドとして機能するため、両スナップボタン１の係合時に、両者の軸線が正確に合っていなくても、あるいは更に一方の軸線が他方の軸線に対して傾いていても、両者の係合は円滑に行われる。なお、係合時及び脱係合時において、一方のスナップボタン１の突起２６と他方のスナップボタン１の突起係止部３６は互いに関わり合って弾性変形しつつ互いを乗り越えた後、復元する。図８は、図７のＣ−Ｃ線断面であり、両スナップボタン１の係合状態において係合凸部２０は係合凹部３０内において周方向に若干移動する余裕がある。そのため、例えば、一方のスナップボタン１が固定された生地ｆが引っ張られて該スナップボタン１に他方に対し周方向にずれる力が働いても、前者が後者に対し周方向に多少回動しながら上記力を逃がす働きをするため、両スナップボタン１が容易に外れるようなことはない。【００２１】
図９は、係合凹部３０の突起係止部の変形例を示し、この突起係止部３６’には周方向に複数（図において二つ）の切欠き３７が設けられている。このように突起係止部３６’に切欠き３７を付設することにより、両スナップボタン１の係合及び脱係合時における突起２６との関わり合いによる突起係止部３６’の撓み変形を容易にする。図１０は、係合凸部２０の突起の変形例を示す、この突起２６’は凸部本体２１の内向面２２から半球形状に突出するように形成される。このように突起２６’を半球状にすることにより、両スナップボタン１の係合及び脱係合時に突起２６’が突起係止部３６を乗り越え易くなる。【００２２】
スナップボタン１では、既述したように、二つのスナップボタン１の係合時に両者の周方向及び軸方向における位置合わせを正確に行う必要がないため、係合動作を容易かつ円滑に行うことがでる。
【符号の説明】
【００２３】
１  スナップボタン
１０  ボタン本体
１１  （ボタン本体の）表面
２０  係合凸部
２６、２６’  突起
３０  係合凹部
３１  凹部開口
３３  （凹部開口の）外周面
３６、３６’  突起係止部
３６ａ  面取り部
３７  切欠き
【図１】
0005506775.tif 000002
【図２】
0005506775.tif 000003
【図３】
0005506775.tif 000004
【図４】
0005506775.tif 000005
【図５】
0005506775.tif 000006
【図６】
0005506775.tif 000007
【図７】
0005506775.tif 000008
【図８】
0005506775.tif 000009
【図９】
0005506775.tif 000010
【図１０】
0005506775.tif 000011